(57)【要約】【課題】  コンピュータ用リムーバブル兼外付けケースを携帯により便利にし、且つ、使用時に各支持部材によりしっかりと必要な位置に設置することができる、コンピュータ用リムーバブル兼外付けケースの提供。【解決手段】  本考案のコンピュータ用リムーバブル兼外付けケースは、本体の少なくとも一端の両側面にそれぞれ槽部を備えた本体と、各槽部内にそれぞれ軸着され、枢動可能に設置された１つ以上の支持部材とを含んで成る。【選択図】  図３
0003110630.tif 000002
【実用新案登録請求の範囲】
【請求項１】
本体と１つ以上の支持部材とを含み、前記本体の少なくとも一端の両側面上にそれぞれ槽部を設け、前記各支持部材を枢動可能に各槽部内に設置した、コンピュータ用リムーバブル兼外付けケース。
【請求項２】
前記槽部を本体の底部まで延伸し、且つ、該本体底部の槽部に位置決め部を設けた、請求項１に記載のコンピュータ用リムーバブル兼外付けケース。
【請求項３】
前記各支持部材の一端の両側に該槽部の両側壁面に軸着される軸棒をそれぞれ設け、且つ、各支持部材の別の一端に曲折板を設け、該曲折板上に突起部を設置した、請求項１に記載のコンピュータ用リムーバブル兼外付けケース。
【請求項４】
前記本体の各槽部の中央部に開孔を設け、且つ、各槽部の予め定めた位置に１つ以上の位置決め孔を設けた、請求項１に記載のコンピュータ用リムーバブル兼外付けケース。
【請求項５】
前記各支持部材が、相互に一端が軸着された第一棒体及び第二棒体から構成され、且つ、該第一棒体及び第二棒体の別の一端にそれぞれ位置決め部を設けた、請求項１に記載のコンピュータ用リムーバブル兼外付けケース。
【請求項６】
前記本体両側面上の両端にそれぞれ槽部を設け、各槽部内に移動可能に支持部材を設けた、請求項１に記載のコンピュータ用リムーバブル兼外付けケース。
【請求項７】
前記本体両側面上の一端及び本体の前面にそれぞれ槽部を設け、各槽部内に移動可能に支持部材を設置した、請求項１に記載のコンピュータ用リムーバブル兼外付けケース。
【請求項８】
前記第一棒体の一端に軸を設け、該軸により第一棒体と第二棒体とを相互に軸着した、請求項５に記載のコンピュータ用リムーバブル兼外付けケース。
【請求項９】
前記第二棒体の一端に穿通孔を設け、第一棒体と第二棒体とを相互に軸着した、請求項８に記載のコンピュータ用リムーバブル兼外付けケース。
【請求項１０】
前記各位置決め部が位置決め孔の孔径よりやや大きい、請求項５に記載のコンピュータ用リムーバブル兼外付けケース。
【考案の詳細な説明】
【技術分野】
【０００１】
本考案はコンピュータ用リムーバブル兼外付けケースに関し、詳細には、容易に携帯でき、且つ、使用時に必要な位置にしっかりと設置できる、コンピュータ用リムーバブル兼外付けケース。
【背景技術】
【０００２】
一般的な従来のコンピュータ用リムーバブル兼外付けケースは、図１に示すように、本体３を含み、この本体３内に記憶ユニットを設置し、且つ、この本体３の底部に座体４を設置して成り、このコンピュータ用リムーバブル兼外付けケースの使用時には、座体４を利用し、本体３を立てて必要な位置に設置する。
【０００３】
上述の本体３は、使用時において、座体４を利用して本体３を立てて必要な位置に設置するが、使用完了後、携帯して外出する必要がある場合、本体３と座体４を分離して２つの部材としてから携帯して外出することになるため、携帯外出時に不便であるだけでなく、座体４をうっかり遺失したり、落としたりすることにもなりやすい。さらに、この本体３は座体４上に置かれるだけであり、両者間には嵌合作用がなく、使用時にうっかり触れてしまうと、本体３と座体４が分離（または脱落）してしまい、座体４を遺失する恐れもある。このため、従来のコンピュータ用リムーバブル兼外付けケースは、実際の使用において使用者の必要を満足させるには至っていない。
【考案の開示】
【考案が解決しようとする課題】
【０００４】
本考案の主な目的は、コンピュータ用リムーバブル兼外付けケースを携帯により便利にし、且つ、使用時に各支持部材によりしっかりと必要な位置に設置することができる、コンピュータ用リムーバブル兼外付けケースを提供することにある。
【課題を解決するための手段】
【０００５】
上述の目的を達するため、本考案のコンピュータ用リムーバブル兼外付けケースは、少なくとも一端の両側面上にそれぞれ槽部を備えた本体と、各槽部内にそれぞれ軸支された１つ以上の支持部材とを含んで成る。
【考案の効果】
【０００６】
本考案に係るコンピュータ用リムーバブル兼外付けケースは、以上のように、少なくとも一端の両側面上にそれぞれ槽部を備えた本体と、各槽部内にそれぞれ軸支された１つ以上の支持部材とを含んで成るので、使用時に各支持部材によりしっかりと必要な位置に設置することができという効果を奏する。
【考案を実施するための最良の形態】
【０００７】
〔実施の形態１〕
図２及び図３に、本考案の実施の形態１の断面図及び立体外観図をそれぞれ示す。これらの図に示すように、本考案のコンピュータ用リムーバブル兼外付けケースは、本体５及び１つ以上の支持部材６から構成され、コンピュータ用リムーバブル兼外付けケースを携帯により便利にし、且つ、使用時においては必要な位置にしっかりと設置できることを特徴とする。
【０００８】
前記本体５は、少なくとも一端の両側面上にそれぞれ槽部５１を備え、この槽部５１は本体５の底部まで延伸され、且つ、この本体５底部の槽部５１に位置決め部５２を設ける。
【０００９】
各支持部材６は、それぞれ各槽部５１内に枢動自在に設置され、且つ、各支持部材６の一端の両側はそれぞれ槽部５１の二側壁面に軸支可能な軸棒６１を備え、各支持部材６の別の一端に曲折板６２を設け、この曲折板６２上に槽部５１底部の位置決め部５２に対応して嵌合される突起部６３を設ける。上述の構造により全く新しいコンピュータ用リムーバブル兼外付けケースが構成される。
【００１０】
使用時には、各支持部材６を外方向へ引き、各支持部材６は槽部５１の両側壁面に軸着された軸棒６１を利用し、且つ、各支持部材６の曲折板６２上の突起部６３が槽部５１底部の位置決め部５２を離脱して、支持部材６が本体５の各槽部５１内から引き出され、この各支持部材６が予め定めた角度で本体５の両側に設置され、コンピュータ用リムーバブル兼外付けケースの本体５は、各支持部材６の一端に設けた曲折板６２により、必要な位置に立たせて設置することができる。使用が完了し、このコンピュータ用リムーバブル兼外付けケースの本体５を携帯したいときは、支持部材６に対し反対方向に施力して槽部５１内に押し戻し、各支持部材６の曲折板６２上の突起部６３を槽部５１底部の位置決め部５２に対応させて嵌合させ、収納が完了した後、コンピュータ用リムーバブル兼外付けケースの本体５を携帯することができる。
【００１１】
〔実施の形態２〕
図４、図５及び図６に、本考案の実施の形態２の立体外観図、立体分解図及び支持部品の収納状態を示す立体外観図をそれぞれ示す。これらの図に示すように、本考案は本体１の両側面上の両端にそれぞれ槽部１１を設け、各槽部１１の中央部に開孔１２を形成し、各槽部１１の予め定めた位置に１つ以上の位置決め孔１３を設けると共に、各槽部１１内に移動可能に支持部材２を設置し、各支持部材２は一端が相互に軸着された第一棒体２１及び第二棒体２２から構成され、この第一棒体２１及び第二棒体２２の一端にそれぞれ軸２１１と穿通孔２２１を設けて相互に軸着し、且つ、この第一棒体２１と第二棒体２２の別の一端に、上述の位置決め孔１３に対応する位置決め部２１２、２２２をそれぞれ設け、各位置決め部２１２、２２２は、位置決め孔１３の孔径よりやや大きいものとすることができる。
【００１２】
図５、図６及び図７に本考案の実施の形態２の立体分解図、収納状態を示す立体外観図及び使用状態を示す立体外観図をそれぞれ示す。これらの図に示すように、使用時には、使用者が槽部１１中央部の開孔１２から支持部材２の第一棒体２１を引き出し、この第一棒体２１の一端は第二棒体２２の一端と相互に軸着されているため、第一棒体２１が引き出されると、第二棒体２２は位置決め部２２２と位置決め孔１３の組み合わせにより、軸方向に回動し、槽部１１内で直線移動せず、このとき、第一棒体２１は槽部１１に沿って第二棒体２２の方向へと移動し、この第一棒体２１が必要な位置まで移動されたとき、この第一棒体２１の一端の位置決め部２１２を位置決め孔１３上に引掛け、支持部材２の第一棒体２１と第二棒体２２間に適切な角度を形成し、コンピュータリムーバブル兼外付けケースを適切な高さで必要な位置に設置することができる。使用完了後、コンピュータリムーバブル兼外付けケースを携帯したい場合は、支持部材２の第一棒体２１を引き出したときとは反対の方向に押して槽部１１内に押し戻すだけで携帯することができる。
【００１３】
〔実施の形態３〕
図８に本考案の実施の形態３の立体外観図を示す。この図に示すように、本考案は本体１ａの少なくとも両側面上の一端に槽部１１ａを設け、各槽部１１ａ内に移動可能に支持部材２を設置してもよい。
【００１４】
〔実施の形態４〕
図９に本考案の実施の形態４の立体外観図を示す。この図に示すように、本考案は実際の使用状況の必要に応じて、本体１ｂの両側面上の一端及び本体１ｂの前面にそれぞれ槽部１１ｂを設け、各槽部１１ｂ内に移動可能に支持部材２を設置してもよい。
【００１５】
上述のように、本考案のコンピュータ用リムーバブル兼外付けケースは、効果的に従来品のさまざまな欠点を改善することができ、このコンピュータ用リムーバブル兼外付けケースは携帯に便利であるという目的を達し、且つ、使用時には各支持部材によりしっかりと必要な位置に設置でき、本考案は進歩性と実用性を備えているだけでなく、使用者のニーズに応えるものとなっており、実用新案登録出願の要件を満たしているため、特許法に基づきここに実用新案登録を出願するものである。
【００１６】
以上の説明は、本考案の最良の実施例に基づくものであり、本考案の実施の範囲を制限するものではなく、本考案の実用新案登録請求の範囲及び明細書の内容に基づく同等効果を得られる簡単な変化や修飾もすべて本考案の特許範囲に含まれるものとみなす。
【産業上の利用可能性】
【００１７】
本考案は、容易に携帯でき、且つ、使用時に必要な位置にしっかりと設置できる、コンピュータ用リムーバブル兼外付けケースに適用できる。
【図面の簡単な説明】
【００１８】
【図１】従来品の立体外観図である。
【図２】本考案の実施の形態１の断面図である。
【図３】本考案の実施の形態１の立体外観図である。
【図４】本考案の実施の形態２の立体外観図である。
【図５】本考案の実施の形態２の立体分解図である。
【図６】本考案の実施の形態２の支持部材を収納した状態を示す立体外観図である。
【図７】本考案の実施の形態２の使用時の状態を示す立体外観図である。
【図８】本考案の実施の形態３の立体外観図である。
【図９】本考案の実施の形態４の立体外観図である。
【符号の説明】
【００１９】
１、１ａ、１ｂ        本体
１１、１１ａ、１１ｂ  槽部
１２      開孔
１３      位置決め孔
２        支持部材
２１      第一棒体
２１１    軸
２２      第二棒体
２２１    穿通孔
２１２、２２２    位置決め部
３        本体
４        座体
５        本体
５１      槽部
５２      位置決め部
６        支持部材
６１      軸棒
６２      曲折板
６３      突起部
【図１】
0003110630.tif 000003
【図２】
0003110630.tif 000004
【図３】
0003110630.tif 000005
【図４】
0003110630.tif 000006
【図５】
0003110630.tif 000007
【図６】
0003110630.tif 000008
【図７】
0003110630.tif 000009
【図８】
0003110630.tif 000010
【図９】
0003110630.tif 000011